(57)【要約】【課題】収納家具を壁に固定することなく且つ可動部分を設ける必要のない簡単な構造により、収納家具自体で地震のゆれによる転倒を防止することができる耐震性収納家具を提供する。【解決手段】  収納家具の両側面を、収納家具の背面側の辺が収納家具の底板に垂直の垂直辺３ａであり、収納家具の前面側の辺が収納家具の底板から天板に向かって奥行きが狭く且つ収納部の前面側が超えない傾斜辺３ｂである台形側板３により形成した耐震性収納家具。【選択図】図１
0003113437.tif 000002
【実用新案登録請求の範囲】
【請求項１】
収納家具の両側面を、収納家具の背面側の辺が収納家具の底板に垂直の垂直辺であり、収納家具の前面側の辺が収納家具の底板から天板に向かって奥行きが狭く且つ収納部の前面側が超えない傾斜辺である台形側板により形成したことを特徴とする耐震性収納家具。
【請求項２】
収納家具が重ね家具であって、上下の家具の重ね部分を固定板で固定したことを特徴とする請求項１記載の耐震性収納家具。
【請求項３】
台形側板が収納家具の側板に重ね合わされて固定されていることを特徴とする請求項１又は２記載の耐震性収納家具。
【考案の詳細な説明】
【技術分野】
【０００１】
本考案は、収納家具を壁面などに固定することなく収納家具自体に耐震性を持たせた耐震性収納家具に関する。
【背景技術】
【０００２】
衣類、食器、書籍などを収納するのに引き出しや棚を備えた収納家具が利用されている。ゆれが大きい地震の場合、収納家具が転倒して人間を負傷させたり、収納物が飛び出して損傷したり散乱したりする。そこで、収納家具が地震の大きなゆれにより転倒するのを防止するために、各種の方式が提案されている。
【０００３】
例えば、特許文献１には、床置き収納家具およびその上に置かれる上置き収納家具が地震時に転倒するのを防止するための収納家具転倒防止構造が開示されている。この転倒防止構造は、建物の壁面に沿って床面上に配置される床置き収納家具の上端をコンクリート壁に埋め込まれた木桟に固定されたＬ形の上端固定金具で固定し、さらに、床置き収納家具の上に置かれる上置き収納家具はその背面に縦長板状の差込み金具の上部を固定し、差込み金具の下部を床置き収納家具の背面と壁面との間に挟む構造により転倒防止を図るというものである。この転倒防止構造は、床置き収納家具の上端と壁をＬ形の上端固定金具で固定し、上置き収納家具に固定された差込み金具を床置き収納家具の背面と壁面との間に挟む構造であるため、固定金具、差込み金具などを必要とし、さらに、これらの金具を壁や収納家具の上部を固定しなくてはならないので固定作業に手間がかかるという欠点がある。
【０００４】
一方で、収納家具を壁に固定することなく収納家具の転倒を防止させる装置として、例えば、特許文献２には、箱形収納家具の底部に設けられた飛び出し部、飛び出し部を固定する固定装置、飛び出し部を押し出すバネおよび地震を感知する感震器で構成され、感震器で地震を感知すると、固定装置が解除されて押出バネにより飛び出し部を箱形収納家具の前方に押し出して転倒を防止する転倒防止装置が開示されている。
【特許文献１】登録実用新案第３０２０００７号明細書
【特許文献２】特開平１０−２４８６６８号公報
【考案の開示】
【考案が解決しようとする課題】
【０００５】
特許文献２に記載されている転倒防止装置は収納家具自体で転倒を防止させることが可能であるため、固定金具を壁や収納家具に固定する手間のかかる固定作業がなくなる利点はあるが、転倒防止装置及び収納家具への組立構造が複雑となり、また、停電や電池切れなどで感震器、固定装置等の可動部分が作動しない場合、確実に転倒防止することができないおそれがある。
【０００６】
そこで、本考案は、収納家具を壁に固定することなく且つ可動部分を設ける必要のない簡単な構造により、収納家具自体で地震のゆれによる転倒を防止することができる耐震性収納家具を提供するものである。
【課題を解決するための手段】
【０００７】
本考案の耐震性収納家具は、収納家具の両側面を、収納家具の背面側の辺が収納家具の底板に垂直の垂直辺であり、収納家具の前面側の辺が収納家具の底板から天板に向かって奥行きが狭く且つ収納部の前面側が超えない傾斜辺である台形側板により形成したことを特徴とする。
【０００８】
収納家具が重ね家具の場合は、上下の家具の重ね部分を固定板で固定することが好ましい。
【０００９】
また、収納家具には、台形側板を収納家具の側板に重ね合わせて固定してもよい。
【考案の効果】
【００１０】
本考案は、ゆれがあって収納家具が傾いても収納家具の重心が台形側板の下辺を超えないよう台形側板の下辺の奥行き長さを収納家具の底板より大きい長さにしているので、転倒を防止することが可能となる。
【考案を実施するための最良の形態】
【００１１】
本考案の実施例について図面を用いて説明する。
【実施例１】
【００１２】
図１は本考案の一実施例を示し、（ａ）は斜視図、（ｂ）は側面図、（ｃ）は正面図、図２は継手板の固定の別実施例を示す図である。
【００１３】
図１に示す収納家具は、床に置く下段収納家具１の上に上段収納家具２を重ねた二つ重ね収納家具であり、下段収納家具１の下段収納部１ａ、上段収納家具２の中段収納部２ａ及び上段収納部２ｂの３段に形成された収納家具である。各収納部１ａ，２ａ，２ｂはそれぞれ引き違い戸により開閉する。
【００１４】
収納家具の側板は、収納家具の背面側の辺が収納家具の底板４に垂直の垂直辺３ａとなり、収納家具の前面側が収納家具の底板４から天板５に向かって奥行きが狭くなる傾斜辺３ｂとなる台形側板３に形成される。
【００１５】
台形側板３の上辺の奥行きの長さ（上段収納家具２の天板５の奥行き）と下辺の奥行きの長さ（下段収納家具１の底板４の奥行き）は、強い地震で揺れた際に収納家具の重心位置が底板４を超えない長さに設定する。収納家具の各収納部１ａ，２ａ，２ｂは、上面の前縁が台形側板３の傾斜辺３ｂと接して収納部１ａ，２ａ，２ｂの前面側が傾斜辺３ｂから超えないようにする。
【００１６】
下段収納家具１の底板４の土台は収納家具の重心を下げるために重量のある材料を使用することが望ましい。
【００１７】
図１に示すように、台形側板３は、重ね収納家具の場合、下段収納家具１と上段収納家具２とに分離されているので、一枚の継手板６で固定する。継手板６の固定は、図２に示すように、台形側板３の背面側の垂直辺３ａ、下段収納家具１の背面の枠７ａと上段収納家具２の枠７ｂを固定してもよい。
【００１８】
なお、下段収納家具１と上段収納家具２が分離されていない場合には、一枚板で台形側板３を形成する。
【００１９】
台形側板３の傾斜辺３ｂの形状は、直線に限らず、台形側板３の上辺（天板５）と下辺（底板４）の前面側を結ぶ直線内に収納部１ａ，２ａ，２ｂが収まるようにデザインしてもよい。
【００２０】
本実施例では、収納家具の側板が収納家具の前面側が上方に向かって奥行きが狭くなる台形側板３で、各段の収納部１ａ，２ａ，２ｂが上方に向かって奥行きを狭くすることにより、収納家具の重心位置を背面側で且つ低い位置にして、収納家具が前面側に傾いてもの重心位置が底板４を超えないようにするので、強い地震のゆれに対して転倒を防止することができる。例えば、上段収納家具高さが約１１３０ｍｍ、下段収納家具の高さが約６７０ｍｍ、上段収納家具の天板の奥行きが約３００ｍｍの場合、底板の奥行きは約７００ｍｍに設定する。
【実施例２】
【００２１】
図３は既存の収納家具の側板に台形側板を固定した実施例を示す斜視図である。
【００２２】
本考案は、実施例１に示す新規に作成する収納家具に限らず、既存の収納家具に対しても適用可能である。
【００２３】
既存の収納家具の側板８に台形側板３を重ね合わせて固定して耐震性を向上させてもよい。台形側板３は、側板８の内側よりネジ釘により止めて、ネジが表に出ないようにする。
【００２４】
既存の収納家具が直方体の場合、台形側板８の上辺は収納家具の天板５の奥行き長さにし、下方に行くにつれて奥行き長さが大きくなる台形とする。台形側板３の下辺は収納家具の底板の奥行き長さより大きくし、揺れにより背面側が持ち上げられても、重心が台形側板３の下辺の前面側を超えないように設計して転倒しない長さにし、底板４の１．５倍程度にする。下段収納家具１の底板４を載せる土台９に台形側板３を固定してもよい。
【００２５】
重ね収納家具の場合、下段収納家具１の台形側板３と、上段収納家具２の台形側板３とに分離して、接合部を一枚の継手板６で固定するか、あるいは一枚板の台形側板３を側板８に固定してもよい。
【図面の簡単な説明】
【００２６】
【図１】本考案の一実施例を示し、（ａ）は斜視図、（ｂ）は側面図、（ｃ）は正面図である。
【図２】継手板の固定の別実施例を示す図である。
【図３】既存の収納家具の側板に台形側板を固定した実施例を示す斜視図である。
【符号の説明】
【００２７】
１：下段家具
１ａ：下段収納部
２：上段家具
２ａ：中段収納部
２ｂ：上段収納部
３：台形側板
３ａ：垂直辺
３ｂ：傾斜辺
４：底板
５：天板
６：継手板
７ａ，７ｂ：背面の枠
８：側板
９：土台
【図１】
0003113437.tif 000003
【図２】
0003113437.tif 000004
【図３】
0003113437.tif 000005